(57)【要約】本発明は、家具の一部の本体から、又は特に皿洗い機である家庭用器具の有用な空間から棚(３４)を引き出し且つ上昇させる家具の一部又は家庭用器具の棚(３４)のスライド回転機構に関する。スライド回転機構は、第１端部が本体又は有用な空間の側壁に固定されて、側壁の面に平行に回転する第１の回転アーム(１５)と、第１端部が本体又は有用な空間の側壁に固定されて、側壁の面に平行に回転する第２の回転アーム(１６)とを備え、第１及び第２の回転アーム(１５、１６)は互いに離れて平行であり、ガイドレール(２２)が回転アーム(１５、１６)の第２端部に固定されて、側壁の面に平行に回転し、ガイドレール(２２)は本体又は有用な空間の内側の下降位置から、少なくとも部分的に本体又は有用な空間の外側である上昇位置に回転し、ガイドレール(２２)内を線形に移動し棚(３４)が固定される少なくとも１つの走行用レール(１)を備え、スライド回転機構は上昇終端位置及び下降終端位置におけるスライド回転機構の回転動作を阻止するロック機構を備え、該ロック機構はガイドレール(２２)及び１つの回転アーム(１５、１６)に配置されて、走行用レール(１)に固定された活動体(６)によって駆動される。活動体(６)のガイドベベル(２９)と相互作用する支持要素(６０)が第１の回転アーム(１５)上に静止して配置され、支持要素によってロック機構は上昇終端位置を確保するロック位置に動かされ、引き出し方向(Ａ)の前にあるガイドベベル(２９)の端部はストッパ(３５)として構成される。本発明は更に、スライド回転機構を有する家具の一部及びスライド回転機構を有する家庭用器具に関する。【選択図】図１
2017524401.tif 000002
【特許請求の範囲】
【請求項１】
家具の一部又は特に皿洗い機である家庭用器具の有用な空間の本体から、棚(３４)を引き出し且つ上昇させる家具の一部又は家庭用器具の棚(３４)のスライド回転機構であって、
-家具本体又は有用な空間の少なくとも１つの側壁に回転可能に固定されて、側壁の面に平行な第１端部を備えた第１の回転アーム(１５)と、
-家具本体又は有用な空間の少なくとも１つの側壁に回転可能に固定されて、側壁の面に平行な第１端部を備えた第２の回転アーム(１６)とを備え、
-第１及び第２の回転アーム(１５、１６)は並行且つ互いに離れて配置され、
-側壁の面に平行な回転アーム(１５、１６)の各第２端部にガイドレール(２２)が回転可能に固定され、ガイドレール(２２)は家具本体又は有用な空間内の下降位置から、少なくとも部分的に家具本体又は有用な空間の外側にある上昇した上昇位置に回転可能であり、
-ガイドレール(２２)内を線形に変位可能であり、その上に棚(３４)が固定される少なくとも１つの走行用レール(１)を備え、
-スライド回転機構は、ガイドレール(２２)及び一方の回転アーム(１５、１６)上に配置されたロック機構を備え、該ロック機構は走行用レール(１)に固定された活動体(６)によって駆動されて、上昇終端位置及び下降終端位置に於けるスライド回転機構の回転移動を阻止するスライド回転機構において、
第１の回転アーム(１５)上に支持要素(６０)が静止して配置され、支持要素は活動体(６)のガイドべベル(２９)と相互作用して、スライド回転機構が上昇終端位置を確保するロック位置へ上昇する際に、ロック機構が動かされ、
引き出し方向(Ａ)の前側に配備された活動体(６)のガイドべベル(２９)の一端部は、限界ストッパ(３５)として形成された、スライド回転機構。
【請求項２】
ロック機構は、回転アーム(１５、１６)の１つに回転可能且つ弾性的に取り付けられてピン(１９)を備えたウエブ(１８)を備え、ピン(１９)はガイドレール(２２)の方向に突出し、ガイドレール(２２)に固定されたガイド要素(１７)に沿って、少なくとも下降終端位置に固定するロック位置から、上昇終端位置を固定するロック位置に案内される、請求項１に記載のスライド回転機構。
【請求項３】
前記ガイド要素(１７)は夫々ロック溝(２３、２４)を備え、該ロック溝内にてピン(１９)が各ロック位置にあり、該ロック溝(２３、２４)はガイド要素(１７)のガイドトラック(２８)を画定し、ガイドトラック(２８)に沿ってピン(１９)は１つのロック位置から第２のロック位置に案内される、請求項２に記載のスライド回転機構。
【請求項４】
支持要素(６０)は第１の回転アーム(１５)から突出するピンとして形成される、請求項１乃至３の何れかに記載のスライド回転機構。
【請求項５】
支持要素(６０)は第１の回転アーム(１５)に固定され、又は第１の回転アームに一体に取り付けられる、請求項４に記載のスライド回転機構。
【請求項６】
支持要素(６０)は第１の回転アーム(１５)から突出するホィールとして形成され、回転アーム(１５、１６)の回転移動によって架けられる面に直交した回転軸の周りを回転する、請求項１乃至３の何れかに記載のスライド回転機構。
【請求項７】
活動体(６)は第１の限界ストッパ(７)を備え、走行用レール(１)を引き出し方向(Ａ)に引いた際に、第１のロック溝(２３)内にて回転アーム(１５、１６)が回転移動を阻止された位置から、ピン(１９)は第１の限界ストッパ(７)によって出ることが出来る、請求項１乃至６の何れかに記載のスライド回転機構。
【請求項８】
活動体(６)は引き出し方向(Ａ)に傾斜するように傾いたウエブ(３３)を備え、走行用レール(１)を引き出し方向(Ａ)に引いた際に、第２のロック溝(２４)内にて回転アーム(１５、１６)が回転移動を阻止された位置から、ピン(１９)はウエブ(３３)によって出ることが出来る、請求項１乃至７の何れかに記載のスライド回転機構。
【請求項９】
家具本体と、スライド回転機構を用いて家具本体に固定された少なくとも１つの棚(３４)を備えた家具の一部であって、棚(３４)はスライド回転機構を用いて家具本体から引き出され上昇される家具の一部に於いて、
スライド回転機構は、請求項１乃至８の何れかに従って形成される家具の一部。
【請求項１０】
有用な空間、特に皿洗い空間又は調理空間の内側に固定される少なくとも１つの棚を有する家庭用器具、特に皿洗い機又は調理器具であって、棚(３４)はスライド回転機構を用いて有用な空間から引き出され上昇される家庭用器具に於いて、
請求項１乃至８の何れか又は幾つかに従って、スライド回転機構が形成された、家庭用器具。
【発明の詳細な説明】
【技術分野】
【０００１】
本発明は、家具の一部又は家庭用器具である棚のスライド回転機構に関し、請求項１の前提部分に従って、家具本体又は家庭用器具の有用な空間から棚を引き出し又は上昇させるためのものである。本発明は更に、スライド回転機構を備えた家具の一部と家庭用器具に関する。
【背景技術】
【０００２】
そのようなスライド回転機構は、家具の一部又は家庭用器具、特に皿洗い機又は調理用器具の快適性を増加させるべく特に組み込まれている。そのような家具の一部又は家庭用器具に組み込まれた棚は、下降位置から引き出され、続いて上位置に上向きに回転されるスライド回転機構によって動かされ、ユーザは便利なことに棚上に品目を置き、又は棚に置かれた要素を除去する。
一般的なスライド回転機構は、例えば国際公開2014/033092号から公知である。該国際公開2014/033092号に記載されたスライド回転機構は実際上、価値を有することが証明されている。
【発明の概要】
【発明が解決しようとする課題】
【０００３】
棚が重い荷重を受けるとき、スライド回転機構が上位置でロックされ、ローディング及びアンローディングに便利な上昇位置に棚が位置していることは、信頼性のある方法では常には生じない。
これが、スライド回転機構のロックが改善するスライド回転機構を提供する本発明の目的に繋がる。
【課題を解決するための手段】
【０００４】
この目的は、請求項１の特徴を有する家具要素又は家庭用器具の棚のスライド回転機構によって達成され、又は請求項９の特徴を有するスライド回転機構を備えた家具の一部又は家庭用器具によって達成される。
【０００５】
本発明に従ったスライド回転機構は、側壁の面に平行な第１端部によって、家具の一部又は家庭用器具の有用な空間の少なくとも１つの側壁に回転可能に固定された第１及び第２の回転アームを備える。回転アームは並行且つ互いに離れて配置される。側壁の面に平行な回転アームの各第２端部にガイドレールが回転可能に固定され、ガイドレールは家具本体又は有用な空間内の下降位置から、少なくとも部分的に家具本体又は有用な空間の外側にある上昇した上位置に回転可能である。棚はガイドレール上又はガイドレール内を線形に移動する走行用レールに固定される。該走行用レールに活動体が更に固定される。ガイドレール及び回転アームの１つ上に配置されたスライド回転機構のロック機構は活動体を用いて駆動され、ロック機構は上昇終端位置及び下降終端位置に於いて、スライド回転機構の回転移動を阻止するのに用いられる。支持要素が第１の回転アーム上に静止して配置され、支持要素は活動体のガイドべベルと相互作用して、スライド回転機構の上昇時に、ロック機構は支持要素によって上昇終端位置を確保するロック位置に動かされ、引き出し方向の前側に配備された活動体のガイドべベルの一端部は、限界ストッパとして形成されている。
【０００６】
棚を上昇終端位置に上昇させる際に、上昇終端位置に達する直前に、支持要素によりユーザは簡単な方法で引き出し方向に抗して棚を軽く押すことが出来る。
このような支持要素に沿った活動体の関連する動きは、ロック機構の信頼性のあるロックを生成し、ロックに必要な棚の終端位置に確実に達することをサポートする。
【０００７】
引き出し方向に限界ストッパとして形成された活動体のガイドべベルの前端部は、ロック機構がロック位置に達するスライド回転機構の上昇終端位置まで走行用レールの引き出し方向に抗する変位を制限するのに用いられる。これにより、棚の上昇終端位置に達する前に棚を過度に挿入することを阻止する。
本発明の有利な実施形態は、従属請求項の主題事項である。
【０００８】
本発明の一実施形態に従って、ロック機構はガイドレールの方向に突出したピンを備えたウエブを備え、ウエブは１つの回転アーム上に回転可能且つ弾性的に取り付けられて、ガイド要素に沿って、下降終端位置を確保するロック位置から、少なくとも上昇終端位置を確保するロック位置までガイドレールに案内される。
好ましい実施形態に従って、これらのロック位置はロック溝がガイド要素に配備されて、ピンが各ロック位置にあるような方法で定義される。スライド回転機構の上昇又は下降動作時に、ピンは両端部がロック溝によって制限されるガイドトラックに沿って案内され、回転アームの連続した動作の正確な調整が可能となる。
【０００９】
好ましい実施形態に従って、支持要素は第１の回転アームから突出したピンとして形成される。ピンは支持要素に別個の要素として固定され、又はその一部として回転アームに一体的に取り付けられる。
代替の実施形態に従って、支持要素は第１の回転アームから突出したホィールとして形成され、回転アームの回転運動によって架けられる面に直交するように向く回転軸の周りを回転可能であり、上昇終端位置にまで棚が上昇する際に、回転可能なホィールの回転摩擦に打ち勝つことのみが必要であり、スライド回転機構のスムーズな操作がさらに改善される。
【００１０】
更に、好ましい実施形態に従って活動体は第１のストッパを備え、走行用レールを引き出し方向Ａに引いたとき、第１のロック溝内にて回転アームの回転動作を阻止する位置から、該ストッパによってピンは動かされる。
第２のロック溝からピンを動かし、上昇位置にてロックを生成する位置からピンを動かすために、活動体は引き出し方向に傾斜するように傾いたウエブを備え、走行用レールを引き出し方向に引いたとき、ウエブによってピンは動かされる。
これにより、棚を引き出し方向に僅かに引くことにより、ユーザは簡単な方法でスライド回転機構のロックを乗り越えることが出来、棚は上昇位置から下降位置へ回転され、又はその逆に回転され得る。
【図面の簡単な説明】
【００１１】
本発明の実施形態は、添付の図面を参照することにより、より詳細に以下に説明される。
【図１】十分に下降した位置に於ける本発明に従ったスライド回転機構の実施形態の斜視図である。
【図２】図１のIIで指定された領域の詳細図である。
【図３】図１のスライド回転機構の斜視図であり、スライド回転機構が上昇する前にガイドレールから走行用レールが完全に変位した後を示す。
【図４】図３のIVで指定された領域の詳細図である。
【図５】回転アームの回転動作が開放された位置に於けるスライド回転機構の斜視図である。
【図６】図５のIVで指定されたセクションの詳細図である。
【図７】図５に対応した、回転動作中のスライド回転機構の斜視図である。
【図８】図６に対応し、図７のVIIIで指定されたセクションの詳細図である。
【図９】図７に対応し、上昇完了位置に達する前に、スライド回転機構が短く回転して更に進行した状態を示す斜視図である。
【図１０】図８に対応し、図９のｘで指定されたセクションの詳細図である。
【図１１】図９のスライド回転機構の上昇完了位置に対応した図である。
【図１２】図１０のスライド回転機構の上昇完了位置に対応した図であり、図１１のｘIIで指定されたセクションの詳細図である。
【図１３】図１１に示すスライド回転機構の位置を異なる斜視から見た斜視図である。
【図１４】上昇ロック位置からスライド回転機構を開放する際の図１１に対応したスライド回転機構を示す。
【図１５】上昇ロック位置からスライド回転機構を開放する際の図１２に対応したスライド回転機構を示し、図１４のｘｖで指定されたセクションの詳細図である。
【発明を実施するための形態】
【００１２】
以下の図面の記載では、頂部、底部、左、右、前、後等は専らそれらの説明及びスライド回転機構、回転アーム、ガイドレール、走行用レール、活動体等の位置に関し、図示と位置は説明用の例として選択された。これらの語は、限定的と理解されず、即ちこれらの基準は異なる作動位置では変化し、又は鏡面デザイン等によって変化する。
【００１３】
図１乃至図１５は、本発明に従ったスライド回転機構の実施形態を示し、スライド回転機構の例示された位置は、上昇行程及びそれに続く低下工程時が示される。
例えば、図１に示すように、スライド回転機構は、互いに平行に配置され、互いに離れた２つの回転アーム１５、１６を備える。回転アーム１５、１６は、回転ジョイントを介して第１端部が側壁保持具１４に固定される。側壁保持具１４は家具の一部、又は皿洗い機のような家庭用器具の側壁に取り付けられるのが好ましい。回転アーム１５、１６の第１端部を家具の一部又は家庭用器具の側壁に直に取り付けることも考えられる。家庭用器具の内壁はまた側壁と考えられる。
【００１４】
第１端部から離れた回転アーム１５、１６の第２端部は、引き出しガイドのガイドレール２２上に回転可能に固定されるのが好ましい。
ガイドレール２２に加えて、引き出しガイドはガイドレール２２内を線形に移動可能な少なくとも１つの走行用レール１を備えている。走行用レール１はボールベアリングを介してガイドレール２２に連結されるのが好ましい。ガイドレール上の端部ストッパ５３は、ガイドレール２２内の走行用レール１の経路を制限するのに用いられる。端部ストッパ５３はボールベアリングに相互作用する。別の固定又は移動可能部分上に他の形式の端部ストッパを配備することも考えられる。引き出しを拡げるために、ガイドレール２２と走行用レール１の間に少なくとも１つの更なる移動可能なレールが配備される。引き出し方向Ａの前である走行用レールの端部にプラグ２が配備されるのが好ましく、プラグは引き出し方向に対してガイドレール２２内の走行用レール１の経路を制限するのに用いられる。
【００１５】
活動体６及び固定装置８が夫々走行用レール１に固定されて、棚３４(図１３に示す)をスライド回転機構に固定し、該スライド回転機構上で棚が固定され、特にラッチされる。活動体及び固定装置８への棚の固定の詳細は、前記の国際公開2014/033092号により詳細に記載され、その内容はスライド回転機構の数々の詳細を説明すべく、本願に含まれる。
【００１６】
図１に更に示すように、減衰ユニット３０がガイドレール２２上に配備され、棚３４が家具の一部の本体の終端位置、又は家庭用器具の有用な空間に移動する際に、減衰ユニットは活動体６によって駆動される。
自己引込み装置又は自己引込み装置と減衰装置の組み合わせを提供して、それによって棚３４が家具本体の終端位置又は家庭用器具の有用な空間に引き出されるのが好ましい。
【００１７】
スライド回転機構は更に、ガイドレール２２上及び回転アーム１５、１６の１つ上に配置されて、走行用レール１に固定された活動体６によって駆動されるロック機構を備える。
ロック機構は、スライド回転機構の上昇終端位置及び下方終端位置におけるスライド回転機構の回転移動を妨げる。
ロック機構は、回転アーム１５、１６の１つに回転可能及び弾性的に保持されたウエブ１８から構成され、ウエブ１８上にてガイドレール２２の方向に突出するピン１９が配備される。
【００１８】
ウエブ１８は回転アーム１５の回転ピン２１を介して回転可能に保持されるのが好ましい。弾性的に保持するのにバネ要素２０が用いられ、バネ要素は一方がウエブ１８上に位置し、他方が回転アーム１５上に位置する。
ピン１９はガイド要素１７に作動可能に接続される。図６に例示される該ガイド要素１７は板形状の要素から構成されて、２つのロック溝２３、２４に制限されるガイドトラック２８として形成される縁を有する。
【００１９】
ロック機構のロック位置は、弾性的に保持されたウエブ１８上に配置されたピン１９が２つのロック溝２３、２４の１つにある位置である。
下方のロック位置は図１及び図２に示される。
第１の回転アーム１５は更に、ピン１９を案内すべく、端部２５を備え、該端部２５は第１の回転アーム１５の長軸に直交して延びるピン１９が通って延びるガイド溝２６を有する。
【００２０】
図３及び図４に示すように、活動体６は第１のストッパ７を備え、走行用レール１が引き出し方向に延びる際に、第１のストッパによりピン１９は第１のロック溝２３内で、回転アーム１５、１６の回転移動を阻止する位置から動かされる。
図５及び図６に示す走行用レール１と活動体６の位置、及び図６に示すピン１９の位置はロック機構の解除位置を示し、回転アーム１５、１６の回転が可能となる。
【００２１】
スライド回転機構が部分的に上昇した位置は、図７及び図８に示される。この位置にて、走行用レール１はガイドレール２２から前方向に完全に押し出される。
図８に示すように、回転アーム１５、１６の回転の結果としての上昇工程時に、ピン１９はガイドトラック２８に沿って第１のロック溝２３から第２のロック溝２４の方向にガイド要素に沿って動かされる。
【００２２】
ガイドカーブ２８上にピン１９が位置する結果、弾性的に保持されたウエブ１８は待機状態から第１の回転アーム１５に対して撓まされる。
図９及び図１０は、上昇終端位置に達する直前のスライド回転機構の位置を示し、ピン１９は第２のロック溝２４の近くに達する。ロックに必要な棚の終端位置に確実に到達することを実現すべく、ユーザが棚３４を変位させ、走行用レール１及び活動体６が引き出し方向Ａに抗して家具本体の方向又は家庭用器具の有用な空間の方向に僅かに変位するように、ガイドべベル２９は形成される。
【００２３】
この工程において、引き出し方向Ａの近傍である活動体６の一端部は第１の回転アーム１５上に固定されて配置された支持要素６０上に押圧されて、ロック機構は上昇終端位置７を表すロック位置にまでスライド回転機構を持ち上げるように動く。
図９、図１０及び図１２に例示されて示される支持要素６０は、第１の回転アーム１５から突出するピンとして形成される。
【００２４】
前記のピンは別個の要素として第１の回転アーム１５に固定され、又は第１の回転アーム１５に一体に取り付けられたピンとして形成される。
支持要素６０を第１の回転アーム１５から突出するホィールとして形成し、回転アーム１５、１６の回転動作によって架けられる面に直交するように向いた回転軸の周りを回転させることも考えられる。
【００２５】
棚が家具本体の方向又は家庭用器具の有用な空間の方向に更に移動するときに、ガイドべベル２９として形成され、底縁が引き出し方向Ａに傾斜に落ちる活動体６の後端部は支持要素６０上にある。
これは同時に、２つの回転アーム１５、１６の水平又は水平方向に非常に近い方向を向いていることに繋がり、図１２に示すように、ピン１９がガイド要素１７の第２のロック溝２４内に係合していることに繋がる。
【００２６】
棚及び走行用レール１又は活動体６が、家具本体の方向又は家庭用器具の有用な空間の方向へ更に変位することは、活動体６の後部の傾斜状のガイドべベル２９の底端の限界ストッパ３５によって阻止される。
図１３は、この位置に於けるスライド回転機構を反対側から示す。図は、支持要素６０が活動体６のガイドべベル２９の底端にあることを明確に示している。
【００２７】
棚３４が完全にローディングされ、又はアンローディングされた後に、棚を家具本体内又は家庭用器具の有用な空間内に下向きに戻し回転させるべく、棚及び走行用レール１及び活動体６は先ず、引き出し方向Ａの短いセクションに亘って動かされる。
この工程において、引き出し方向Ａに傾斜状に傾いた活動体６のウエブ３３は、ピン１９の下方に係合し、活動体６の引き出し方向の動作時にロック溝２４から出るように上昇させ、スライド回転機構の回転動作を解放し、棚３４の下降は回転アーム１５、１６を下降終端位置に回転させることにより生じる。
【００２８】
上昇及び/又は下降用の補助具３１が、棚３４の上昇及び下降動作を支持する為に、側壁又は側壁の保持具１４の少なくとも１つに配備されて、回転アーム１５、１６の回転動作が支持される。
上昇又は下降用の補助具３１は、一方が側壁の保持具又は側壁上の各ピン２７に固定され、他方が第２の回転アーム１６に固定される張力バネに形成されるのが好ましい。
回転アーム１５、１６の上端位置を越える、回転アーム１５、１６の回転動作を防ぐべく、側壁の保持具１４上に限界ストッパ３２が配備されて、第２の回転アーム１６が上端位置に達する際に限界ストッパ上に衝突するのが好ましい。
【００２９】
１    走行用レール
２    プラグ
６    活動体
７    限界ストッパ
８    固定装置
１４  側壁の保持具
１５  回転アーム
１６  回転アーム
１７  ガイド要素
１８  ウエブ
１９  ピン
２０  バネ要素
２１  回転ピン
２２  ガイドレール
２３  ロック溝
２４  ロック溝
２５  端部
２６  ガイド溝
２７  ピン
２８  ガイドトラック
２９  ガイドべベル
３０  減衰ユニット
３１  上昇又は下降用の補助具
３２  限界ストッパ
３３  ウエブ
３４  棚
３５  限界ストッパ
５３  端部ストッパ
６０  支持要素
Ａ    引き出し方向
【図１】
2017524401.tif 000003
【図２】
2017524401.tif 000004
【図３】
2017524401.tif 000005
【図４】
2017524401.tif 000006
【図５】
2017524401.tif 000007
【図６】
2017524401.tif 000008
【図７】
2017524401.tif 000009
【図８】
2017524401.tif 000010
【図９】
2017524401.tif 000011
【図１０】
2017524401.tif 000012
【図１１】
2017524401.tif 000013
【図１２】
2017524401.tif 000014
【図１３】
2017524401.tif 000015
【図１４】
2017524401.tif 000016
【図１５】
2017524401.tif 000017
【国際調査報告】
2017524401.tif 000018
2017524401.tif 000019
2017524401.tif 000020
2017524401.tif 000021